(57)【要約】【課題】ＷＷＷ文書から１動作でＷｅｂシステム以外のシステムの文書を呼び出せる、異なるシステム間での文書呼び出し装置及び方法を提供する。【解決手段】端末２１の画面に表示されたＷＷＷページ２２に対する操作に応答して呼び出され、Ｗｅｂシステム以外のシステム上の文書３１を特定するためのパラメータ２４が含まれるリンク用ページ２５ａと、前記リンク用ページが呼び出されたときに起動して又は前記ＷＷＷページに対する操作に応答して起動して、前記Ｗｅｂシステム以外のシステムを起動させるリンク用プログラム２５とを備え、前記リンク用プログラムは、前記パラメータに基づいて、前記起動された前記Ｗｅｂシステム以外のシステム上で前記文書を読み出して前記端末の画面に表示させる。【選択図】　図１
2004054476.tif 000002
【特許請求の範囲】
【請求項１】
端末の画面に表示されたＷＷＷページに設けられたＷｅｂシステム以外のシステム上の文書を特定するためのパラメータが含まれるリンクに対する操作に応答して起動して、前記Ｗｅｂシステム以外のシステムを起動させるリンク用プログラムを備え、
前記リンク用プログラムは、前記パラメータに基づいて、前記起動された前記Ｗｅｂシステム以外のシステム上で前記文書を読み出して前記端末の画面に表示させる
異なるシステム間での文書呼び出し装置。
【請求項２】
端末の画面に表示されたＷＷＷページに対する操作に応答して呼び出され、Ｗｅｂシステム以外のシステム上の文書を特定するためのパラメータが含まれるリンク用ページと、
前記リンク用ページが呼び出されたときに起動して又は前記ＷＷＷページに対する操作に応答して起動して、前記Ｗｅｂシステム以外のシステムを起動させるリンク用プログラムとを備え、
前記リンク用プログラムは、前記パラメータに基づいて、前記起動された前記Ｗｅｂシステム以外のシステム上で前記文書を読み出して前記端末の画面に表示させる
異なるシステム間での文書呼び出し装置。
【請求項３】
請求項１または２に記載の異なるシステム間での文書呼び出し装置において、
前記リンク用プログラムは、前記Ｗｅｂシステム以外のシステムを起動させる前の前記Ｗｅｂシステム上で前記パラメータを含むテキストファイルを生成して前記端末に格納し、前記Ｗｅｂシステム以外のシステムを起動させた後に前記端末から前記テキストファイルを読出し、前記テキストファイルに含まれる前記パラメータに基づいて、前記文書を読み出す
異なるシステム間での文書呼び出し装置。
【請求項４】
請求項２記載の異なるシステム間での文書呼び出し装置において、
前記リンク用プログラムは、前記リンク用ページから受け取った前記パラメータがブランクである場合には、前記端末の画面にエラーを表示する
異なるシステム間での文書呼び出し装置。
【請求項５】
請求項３記載の異なるシステム間での文書呼び出し装置において、
前記リンク用プログラムは、前記端末から読み出した前記テキストファイルに前記パラメータが含まれていない場合には、前記端末の画面にエラーを表示する
異なるシステム間での文書呼び出し装置。
【請求項６】
請求項２記載の異なるシステム間での文書呼び出し装置において、
前記リンク用ページは、前記Ｗｅｂシステム以外のシステムのアプリケーションソフト上で提供されているアプリケーションにより作成される
異なるシステム間での文書呼び出し装置。
【請求項７】
請求項６記載の異なるシステム間での文書呼び出し装置において、
前記アプリケーションは、表示されている前記文書を特定するための前記パラメータを自動的に解析する
異なるシステム間での文書呼び出し装置。
【請求項８】
（ａ）　操作者が端末の画面に表示されたＷＷＷページに対して操作を行うステップと、
（ｂ）　前記（ａ）の操作に応答して、Ｗｅｂシステム以外のシステム上の文書を特定するためのパラメータが含まれるリンク用ページが前記Ｗｅｂシステム上で呼び出されるステップと、
（ｃ）　前記（ａ）の操作に応答して、又は前記（ｂ）の前記リンク用ページが呼び出されたときに、前記パラメータが前記Ｗｅｂシステム以外のシステムに送出されるステップと、
（ｄ）　前記パラメータに基づいて、前記Ｗｅｂシステム以外のシステム上の前記文書が前記端末の画面に表示されるステップと
を備えた異なるシステム間での文書呼び出し方法。
【請求項９】
請求項８記載の異なるシステム間での文書呼び出し方法において、
前記操作者は前記（ａ）の操作を行うのみで、前記（ｄ）が実行される
異なるシステム間での文書呼び出し方法。
【発明の詳細な説明】
【０００１】
【発明の属する技術分野】
本発明は、異なるシステム間での文書呼び出し装置及び方法に関する。
【０００２】
【従来の技術】
ＨＴＭＬで記述されたＷＷＷ文書から他のアプリケーションソフト上の文書を読み出すときに、ＷＷＷ文書から１動作で、他のアプリケーションソフト上の文書を読み出すことはできなかった。ＷＷＷのＨＴＭＬフォーマットには、他のアプリケーションの文書を読み出すためのパラメータを直接記述することができないからである。
【０００３】
上記のように例えば、ＷＷＷ文書から、グループウェアソフトウェア例えばＮｏｔｅｓのノーツクライアントプログラム中よりノーツ文書を呼び出す際に、１動作で実現可能な方法が無かった。
【０００４】
現状において、ノーツ文書を読み出す方法は、以下の通りであり、２動作が必要であった。
・ＷＷＷ文書中のリンクをクリックする（１動作）。
・そのクリック動作に応答して、ノーツクライアントプログラムが起動し、上記リンク内で指定されたノーツデータベースが開く。
・そのノーツデータベース内のノーツ文書を開く（２動作）。
【０００５】
即ち、図１０に示すように、端末の画面上でＷＷＷ文書１０中のリンク１１をクリックすると（１動作）、そのリンク１１によって指定されたノーツデータベース１２が立ち上り、各ノーツ文書を起動するための起動パラメータ（その文書を読み出すためのデータ）を収めた文書１３が画面上で選択可能な状態となる。次に、それらの複数の文書１３のうち、読出しを希望するノーツ文書に対応する文書１３を、ノーツデータベース１２上で選択することで（２動作）、希望するノーツ文書１４が画面上に現れる構成となっている。
【０００６】
【発明が解決しようとする課題】
ＷＷＷ文書から１動作で他のアプリケーションソフトの文書を呼び出せることが望まれている。
ＷＷＷ文書から１動作で他のアプリケーションソフトの文書を呼び出すための仕組みを容易に作成できることが望まれている。
【０００７】
なお、特開２０００−２９９０６公報には、次の文書情報管理システムが開示されている。サーチエンジン対応インターフェース手段が、画面上に表示されている文書中の単語を指定させて、指定された単語をキーワードとしてサーチエンジン手段に転送すると共に、サーチエンジン手段から検索結果を入力して画面上に表示し、ブラウザー対応インターフェース手段が、ブラウザー手段から転送されたキーワードを用いて検索（キーワード検索または／および全文検索）を行い、検索結果をブラウザー手段へ転送する。
【０００８】
本発明の目的は、ＷＷＷ文書から１動作でＷｅｂシステム以外のシステムの文書を呼び出せる、異なるシステム間での文書呼び出し装置及び方法を提供することである。
本発明の他の目的は、ＷＷＷ文書から１動作でＷｅｂシステム以外のシステムの文書を呼び出すための仕組みを容易に作成できる、異なるシステム間での文書呼び出し装置及び方法を提供することである。
【０００９】
【課題を解決するための手段】
以下に、［発明の実施の形態］で使用する番号・符号を用いて、［課題を解決するための手段］を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１０】
本発明の異なるシステム間での文書呼び出し装置は、端末（２１）の画面に表示されたＷＷＷページ（２２）に設けられたＷｅｂシステム以外のシステム（３０）上の文書（３１）を特定するためのパラメータ（２４）が含まれるリンク（２３）に対する操作に応答して起動して、前記Ｗｅｂシステム以外のシステム（３０）を起動させるリンク用プログラム（２５）を備え、前記リンク用プログラム（２５）は、前記パラメータ（２４）に基づいて、前記起動された前記Ｗｅｂシステム以外のシステム（３０）上で前記文書（３１）を読み出して前記端末（２１）の画面に表示させる。
【００１１】
本発明の異なるシステム間での文書呼び出し装置は、端末（２１）の画面に表示されたＷＷＷページ（２２）に対する操作に応答して呼び出され、Ｗｅｂシステム以外のシステム上の文書（３１）を特定するためのパラメータ（２４）が含まれるリンク用ページ（２５ａ）と、前記リンク用ページ（２５ａ）が呼び出されたときに起動して又は前記ＷＷＷページ（２２）に対する操作に応答して起動して、前記Ｗｅｂシステム以外のシステムを起動させるリンク用プログラム（２５）とを備え、前記リンク用プログラム（２５）は、前記パラメータ（２４）に基づいて、前記起動された前記Ｗｅｂシステム以外のシステム上で前記文書（３１）を読み出して前記端末（２１）の画面に表示させる。
【００１２】
本発明の異なるシステム間での文書呼び出し装置において、前記リンク用プログラム（２５）は、前記Ｗｅｂシステム以外のシステムを起動させる前の前記Ｗｅｂシステム上で前記パラメータ（２４）を含むテキストファイル（２９）を生成して前記端末（２１）に格納し、前記Ｗｅｂシステム以外のシステムを起動させた後に前記端末（２１）から前記テキストファイル（２９）を読出し、前記テキストファイル（２９）に含まれる前記パラメータ（２４）に基づいて、前記文書（３１）を読み出す。
【００１３】
本発明の異なるシステム間での文書呼び出し装置において、前記リンク用プログラム（２５）は、前記リンク用ページ（２５ａ）から受け取った前記パラメータ（２４）がブランクである場合には、前記端末（２１）の画面にエラーを表示する。
【００１４】
本発明の異なるシステム間での文書呼び出し装置において、前記リンク用プログラム（２５）は、前記端末（２１）から読み出した前記テキストファイル（２９）に前記パラメータ（２４）が含まれていない場合には、前記端末（２１）の画面にエラーを表示する。
【００１５】
本発明の異なるシステム間での文書呼び出し装置において、前記リンク用ページ（２５ａ）は、前記Ｗｅｂシステム以外のシステムのアプリケーションソフト上で提供されているアプリケーションにより作成される。
【００１６】
本発明の異なるシステム間での文書呼び出し装置において、前記アプリケーションは、表示されている前記文書（３１）を特定するための前記パラメータを自動的に解析する。
【００１７】
本発明の異なるシステム間での文書呼び出し方法は、（ａ）　操作者が端末（２１）の画面に表示されたＷＷＷページ（２２）に対して操作を行うステップと、（ｂ）　前記（ａ）の操作に応答して、Ｗｅｂシステム以外のシステム（３０）上の文書（３１）を特定するためのパラメータ（２４）が含まれるリンク用ページ（２５ａ）が前記Ｗｅｂシステム上で呼び出されるステップと、（ｃ）　前記（ａ）の操作に応答して、又は前記（ｂ）の前記リンク用ページ（２５ａ）が呼び出されたときに、前記パラメータ（２４）が前記Ｗｅｂシステム以外のシステム（３０）に送出されるステップと、（ｄ）　前記パラメータ（２４）に基づいて、前記Ｗｅｂシステム以外のシステム（３０）上の前記文書（３１）が前記端末（２１）の画面に表示されるステップとを備えている。
【００１８】
本発明の異なるシステム間での文書呼び出し方法において、前記操作者は前記（ａ）の操作を行うのみで、前記（ｄ）が実行される。
【００１９】
【発明の実施の形態】
添付図面を参照して、本発明の一実施形態を説明する。
【００２０】
本実施形態は、異なるシステム間の文書呼び出しの効率化と、その呼び出しを行うためのパラメータ作成の簡便化を図ったものである。ここで、異なるシステムとは、インターネット（ＷＷＷ）と、そのＷＷＷ以外のシステムという意味である。
【００２１】
その異なるシステムは、本実施形態では、インターネット（ＷＷＷ）と、イントラネットで使用されるグループウェアソフトウェア（ノーツ）が一例として用いられる。ここでは、ノーツに代表されるグループウェアソフトウェアを例にとり説明するが、グループウェアソフトウェア以外のデータベースとして使用可能なアプリケーションソフトウェア（例えば、文書データを扱うアプリケーションソフトウェア）であってもよい。
【００２２】
本実施形態では、イントラネットに接続された端末からノーツ文書を読み出すときに、Ｗｅｂページのリンクをクリックするという１動作のみで、ノーツ文書を読み出すことができる。その概略動作について図１を参照して説明する。
【００２３】
・ＷＷＷ文書２２中のリンクをクリックする（１動作）。
・ＷＷＷ文書２２ａ中にセットされたプログラムが起動し、ＷＷＷ文書２２ａ中にセットされたパラメータ２４を端末に書き出す。
・同じく、ＷＷＷ文書２２ａ中にセットされたプログラムで、ノーツクライアントプログラムを起動し、ノーツ文書呼び出し用データベース３２を開く。
・ノーツ文書呼び出し用データベース３２を開くときにプログラムが起動し、セットされたパラメータ２４に基づいて、ノーツ文書３１を開く。
これにより、利用者の動作を減らすことが可能となり作業の効率化が図れる。
【００２４】
従来、ＷＷＷ文書中のリンクには、ノーツサーバの複数のデータベースのうちの特定の一つのデータベースを読み出すためのファイル名が記載されているに過ぎなかった。よって、ＷＷＷ文書から１動作では、ノーツの特定のデータベースを読み出すことまでしかできず、更にそのデータベースの中の特定のノーツ文書を特定して読み出すことは不可能であった。ＷＷＷ文書上での操作に応答して、見たいノーツ文書を特定するためのパラメータをＷｅｂサーバからノーツサーバに送出するための記述を、ＷＷＷ文書中に行うことができなかったためである。
【００２５】
次に、図３を参照して、本実施形態の全体構成を説明する。
【００２６】
イントラネットに接続されている端末（パソコン）２１の操作員は、端末２１で参照しているＷＷＷ文書２２から１動作で、ノーツサーバ３０で管理されるノーツ文書３１を端末２１に呼び出す。
【００２７】
ＨＴＭＬで記述されるＷＷＷ文書２２には、リンク２３が設けられている。ノーツサーバ３０には、複数のデータベースと制御部（起動用データベース）３２が設けられている。ノーツ文書３１は、ノーツサーバ３０に複数設けられているデータベースのうちの特定のデータベース３３に格納されている。Ｗｅｂサーバ２０には、リンク用プログラム２５が格納されている。更に、リンク用プログラム２５は、端末２１に格納されている場合がある。
【００２８】
リンク２３がクリックされると、リンク用Ｗｅｂページにジャンプする。リンク用Ｗｅｂページには、パラメータ２４が含まれている。パラメータ２４には、データベース３３のＩＤ４１と、ノーツ文書３１が含まれる文書一覧のＩＤ４２と、ノーツ文書３１のＩＤ４３とが含まれている。
【００２９】
ノーツサーバ３０に複数設けられているデータベースのそれぞれは、ノーツの文書を収めたファイルである。
文書一覧（ノーツビュー）とは、ノーツのデータベースの中の文書が一定の条件で抽出された結果を示す一覧である。
ノーツ文書３１とは、ノーツのデータベースの１データレコードである。
【００３０】
データベース３３のＩＤ４１とは、ノーツサーバ３０内に複数設けられているデータベースのうちの、ノーツ文書３１が格納されているデータベース３３を特定するためのＩＤである。
ノーツ文書３１が含まれる文書一覧のＩＤ４２とは、データベース３３に格納されている複数の文書一覧のうちノーツ文書３１が含まれている文書一覧を特定するためのＩＤである。
ノーツ文書３１のＩＤ４３とは、ノーツ文書３１を特定するためのＩＤである。
【００３１】
ノーツサーバ３０において、ノーツ文書３１が特定されるためには、ＩＤ４１〜４３の全ての情報が必要となる。ＩＤ４１〜４３は、それぞれ、１０桁程度の文字列からなるデータである。
【００３２】
次に、図２〜図５を参照して、本実施形態の動作について説明する。
図２は、端末２１の画面の移り変わりを示す図である。
【００３３】
本実施形態では、図１及び図２に示すように、端末２１からＷＷＷ文書２２のリンク２３をクリックする（図４のステップＳ１、図５（ａ）参照）。
【００３４】
ＷＷＷ文書２２のリンク２３がクリックされると、まず図５（ｂ）に示すように、リンク用Ｗｅｂページ２５ａにジャンプする（図４のステップＳ２）。リンク用Ｗｅｂページ２５ａには、ノーツ文書３１を特定するためのパラメータ２４が含まれている。なお、リンクページ２５ａは、例えばマイクロソフト社のＡｃｔｉｖｅＸと称される技術により作成される（後述する図７参照）。
【００３５】
リンク用Ｗｅｂページ２５ａにジャンプすると、端末２１に格納されたリンク用プログラム２５が自動的に呼び出されて起動する（図４のステップＳ３）。その端末２１にそのリンク用プログラム２５が格納されていない場合にはＷｅｂサーバ２０から端末２１にダウンロードされてリンク用プログラム２５が起動する（図４のステップＳ３）。その起動したリンク用プログラム２５に、リンク用Ｗｅｂページ２５ａに含まれているパラメータ２４が渡される（図４のステップＳ４）。
【００３６】
リンク用プログラム２５は、渡されたパラメータ２４がブランクであれば、端末２１の画面にエラー表示をして処理を終了する（図４のステップＳ６）。リンク用プログラム２５は、渡されたパラメータ２４がブランクでなければ、そのパラメータ２４を端末２１に書き出す（図４のステップＳ７）。このとき、リンク用プログラム２５は、パラメータ２４を納めたテキストファイル２９を生成し、そのテキストファイル２９を端末２１に格納する（図４のステップＳ９）。
【００３７】
リンク用プログラム２５は、ノーツサーバ３０の起動用データベース３２を呼び出すことで、端末２１においてノーツクライアントプログラムを起動させる（図４のステップＳ８）。
次いで、リンク用プログラム２５は、端末２１に書きこまれたパラメータ２４を納めたテキストファイル２９を呼び出す（図４のステップＳ１０）。
【００３８】
リンク用プログラム２５は、そのテキストファイル２９にパラメータ２４が入っているか否かを判断し（図４のステップＳ１１）、入っていなければ端末２１の画面にエラーを表示して処理を終了する（図４のステップＳ１２）。
リンク用プログラム２５は、そのテキストファイル２９にパラメータ２４が入っている場合には、ステップＳ１３に進む。
【００３９】
ステップＳ１３では、リンク用プログラム２５は、起動用データベース３２にパラメータ２４を渡し、そのパラメータ２４に従って、特定のデータベース３３の中の特定の文書一覧（ノーツビュー）から特定のノーツ文書３１を読み出して、端末２１の画面に表示させる。
【００４０】
本実施形態では、Ｗｅｂサーバ２０上での操作（ＷＷＷ文書２２のリンク２３のクリック）に応答して、データベース３３の一部３１を読み出すために、そのデータベース３３の一部３１を特定するためのパラメータ２４を、Ｗｅｂサーバ２０からそのデータベース３３のサーバ３０に引き渡すことが行われる。
【００４１】
次に、図６〜図９を参照して、リンクページ２５ａの作成方法について説明する。
【００４２】
図７（ａ）に示すように、端末２１では、ノーツのプログラム上で、リンクする先のノーツ文書３１を予め開き、ノーツのアプリケーションとして用意されている「メニュー」から「リンクのコピー」−「文書リンク」を選択する。これにより、ノーツ文書３１のリンクのコピーを行う（図６のステップＳ２１）。
【００４３】
このとき、ノーツのアプリケーションにより、その開いているノーツ文書３１をノーツデータベース３３（またはノーツサーバ３０）から読み出すためのパラメータ２４が自動的に解析され、端末２１のメモリ（クリップボード）２６に格納される（図６のステップＳ２３、図８及び図９参照）。
【００４４】
次に、図７（ｂ）に示すように、ＷＷＷのアプリケーション上で用意されている、リンク用ページ作成プログラム２７が呼び出される（図６のステップＳ２２）。この場合、端末２１にリンク用ページ作成プログラム２７が格納されていなければ、Ｗｅｂサーバ２０から端末２１にダウンロードされて、端末２１上で起動する（図６のステップＳ２２）。次いで、リンク用ページ作成プログラム２７の画面上で「作成」ボタンをクリックする（図６のステップＳ２４）。
【００４５】
すると、Ｗｅｂ上のリンク用ページ作成プログラム２７が、上記選択されたノーツ文書３１を読み出すのパラメータ２４をメモリ２６から読出し（図６のステップＳ２５）、その読み出したデータがノーツのリンク先のパラメータであるか否かを判断する（図６のステップＳ２６）。その判断の結果、その読み出したデータがノーツのリンク先のパラメータでない場合には、端末２１の画面にエラーを表示してその処理を終了する（図６のステップＳ２７）。Ｗｅｂ上のプログラム２７は、その判断の結果、その読み出したデータがノーツのリンク先のパラメータである場合には、メモリ２６からノーツリンク先のパラメータ２４を取得する（図６のステップＳ２８）。
【００４６】
次に、図７（ｃ）に示すように、リンク用Ｗｅｂページ（リンクページ）２５ａのファイルの保存先を端末２１から手入力で指定する（図６のステップＳ２９）。その保存先は、端末２１内でもよいし、Ｗｅｂサーバ２０内でもよい。
【００４７】
次に、図８及び図６のステップＳ３０に示すように、Ｗｅｂ上のプログラム２７は、そのパラメータ２４と、リンク用Ｗｅｂページの雛型（ＨＴＭＬで記述されている）２８とを合わせて、目的のリンク用Ｗｅｂページ（ＨＴＭＬで記述されている）２５ａを作成し出力する。即ち、Ｗｅｂ上のプログラム２７は、リンクページ雛型２８に、パラメータ２４をセットし、指定された保存先にファイル（リンク用Ｗｅｂページ２５ａ）を出力する。
【００４８】
ＷＷＷから他のアプリケーションの文書を読み出すときに、ＷＷＷのＨＴＭＬフォーマットでは、そのアプリケーションの文書を読み出すためのパラメータを記述することができない点を解決している。
【００４９】
【発明の効果】
本発明の異なるシステム間での文書呼び出し装置によれば、ＷＷＷ文書から１動作で他のアプリケーションソフトの文書を呼び出せる。
【図面の簡単な説明】
【図１】
図１は、本発明の異なるシステム間での文書呼び出し装置の一実施形態の概略的な構成を示すブロック図である。
【図２】
図２は、本発明の異なるシステム間での文書呼び出し装置の一実施形態において、Ｗｅｂからノーツへリンクする時の動作を示す図である。
【図３】
図３は、本発明の異なるシステム間での文書呼び出し装置の一実施形態の全体構成を示すブロック図である。
【図４】
図４は、本発明の異なるシステム間での文書呼び出し装置の一実施形態において、Ｗｅｂからノーツへリンクするときの動作を示すフローチャートである。
【図５】
図５は、本発明の異なるシステム間での文書呼び出し装置の一実施形態において、Ｗｅｂからノーツへリンクするときの画面の変化を示す図である。
【図６】
図６は、本発明の異なるシステム間での文書呼び出し装置の一実施形態において、リンクページ作成時の動作を示すフローチャートである。
【図７】
図７は、本発明の異なるシステム間での文書呼び出し装置の一実施形態において、リンクページを作成するときの画面の変化を示す図である。
【図８】
図８は、本発明の異なるシステム間での文書呼び出し装置の一実施形態においてリンクのコピー機能を示すブロック図である。
【図９】図９は、本発明の異なるシステム間での文書呼び出し装置の一実施形態においてリンクページ作成時の動作を示すブロック図である。
【図１０】図１０は、従来の異なるシステム間での文書呼び出し方法を示すブロック図である。
【符号の説明】
１０　ＷＷＷ文書
１１　リンク
１２　ノーツデータベース
１３　起動パラメータを収めた文書
１４　ノーツ文書
２０　Ｗｅｂサーバ
２１　端末
２２　ＷＷＷ文書
２３　リンク
２４　パラメータ
２５　リンク用プログラム
２５ａ　リンク用Ｗｅｂページ
２６　メモリ
２７　リンク用ページ作成プログラム
２８　リンク用Ｗｅｂページの雛型
２９　テキストファイル
３０　ノーツサーバ
３１　ノーツ文書
３２　起動用データベース
３３　データベース
４１　データベースＩＤ
４２　文書一覧のＩＤ
４３　ノーツ文書のＩＤ
【図１】
2004054476.tif 000003
【図２】
2004054476.tif 000004
【図３】
2004054476.tif 000005
【図４】
2004054476.tif 000006
【図５】
2004054476.tif 000007
【図６】
2004054476.tif 000008
【図７】
2004054476.tif 000009
【図８】
2004054476.tif 000010
【図９】
2004054476.tif 000011
【図１０】
2004054476.tif 000012